(57)【要約】【課題】  家庭ごみの大量発生により大量に発生する溶融スラグなどの無機系充填材を大量に有効利用するとともに、コンクリートの品質に一切影響を与えることなく、コンクリート擁壁の安定性を確保したＬ型コンクリート擁壁を提供する。【解決手段】  Ｌ型のコンクリートの擁壁ブロック２の底版２１上に、該擁壁ブロック２の高さより低い高さとなるように箱状に３面立ち壁３を形成して、無機系充填材を充填可能とした。【選択図】  図１
2006063655.tif 000002
【特許請求の範囲】
【請求項１】
Ｌ型のコンクリートの擁壁ブロックの底版上に、該擁壁ブロックの高さより低い高さとなるように箱状に３面立ち壁を形成して、無機系充填材を充填可能としたことを特徴とするＬ型コンクリート擁壁。
【請求項２】
Ｌ型のコンクリートの擁壁ブロックの底版上に、該擁壁ブロックの高さより低い高さとなるようにコ字型のコンクリートブロックを結合、固定して、無機系充填材を充填可能としたことを特徴とするＬ型コンクリート擁壁。
【発明の詳細な説明】
【技術分野】
【０００１】
本発明は、道路、田畑、家屋などに沿って土砂の落下を防止するためなどに設けるＬ型コンクリート擁壁に関するものである。
【背景技術】
【０００２】
一般家庭ごみは膨大な量で発生していて、その処理がわが国における重要課題となっており、現在のところでは、一般家庭ごみのうちの可燃ごみは分別されて焼却され、減量化されて発生した灰は、さらに１２００℃を超える高温で溶融状態にして減量化され、最後に冷却固化されている。この冷却固化で生じた溶融スラグは、家庭ごみの状態よりも相当に減量化されたとはいえ、家庭ごみの量が膨大な量であるため、大量に発生しており、リサイクル材として有効利用することが重要な懸案となっている。
【０００３】
例えば、特許文献１では、溶融スラグを粉砕してコンクリートの骨材として使用したコンクリート製品の製造方法が提案されており、この方法では溶融スラグを粉砕した骨材を使用してインターロッキングブロックなどの小物コンクリート製品を製作している。
【特許文献１】特開平６−２７９０８４号公報
【０００４】
しかしながら、溶融スラグなどにおいては、各自治体で発生した物の処理は、その自治体内で処理することに限られ、他の自治体へ越境して搬出することは認められていない場合が少なくないのが現状である。
【０００５】
コンクリート製品を製作する場合には、生コンクリートに使用する溶融スラグの量は、その量を多くすると、硬化後のコンクリート強度の低下や外観の悪化等を招き、硬化コンクリートの要求性能を満たさなくなることから、製品重量の１０％程度が一般的であるため、製品重量の１０％以内と指定されている場合があるので、上記の特許文献１のような方法では一度に多くの使用ができない欠点がある。
【０００６】
このように、近年、ごみの量が増え、大量に発生する溶融スラグの処理が追いつかないのが現状である。
【発明の開示】
【発明が解決しようとする課題】
【０００７】
本発明は、かかる現状に鑑み、家庭ごみの大量発生により大量に発生する溶融スラグなどの無機系充填材を大量に有効利用するとともに、コンクリートの品質に一切影響を与えることなく、コンクリート擁壁の安定性を確保したＬ型コンクリート擁壁を提供することを目的とするものである。
【課題を解決するための手段】
【０００８】
本発明は、上記の目的を達成するものであって、請求項１の発明は、Ｌ型のコンクリートの擁壁ブロックの底版上に、該擁壁ブロックの高さより低い高さとなるように箱状に３面立ち壁を形成して、無機系充填材を充填可能としたことを特徴とするＬ型コンクリート擁壁である。
【０００９】
請求項２の発明は、Ｌ型のコンクリートの擁壁ブロックの底版上に、該擁壁ブロックの高さより低い高さとなるようにコ字型のコンクリートブロックを結合、固定して、無機系充填材を充填可能としたことを特徴とするＬ型コンクリート擁壁である。
【発明の効果】
【００１０】
本発明のＬ型コンクリート擁壁によれば、家庭ごみの大量発生により大量に発生する溶融スラグなどの無機系充填材を大量に有効利用するとともに、コンクリート擁壁の安定性を一層向上させて、実用上における優れた作用効果を奏することが可能である。
【発明を実施するための最良の形態】
【００１１】
以下、本発明をその実施例である図面にしたがって具体的に説明する。
図１〜４において、１は本発明のＬ型コンクリート擁壁であって、該Ｌ型コンクリート擁壁１は、主としてＬ型のコンクリートの擁壁ブロック２と、３面立ち壁３とで形成されてなるものである。
【００１２】
Ｌ型のコンクリートの擁壁ブロック２は、図１〜図４に示すように、底版２１と立ち壁２２とからなる断面が略Ｌ字形の土留め用などに使用されている擁壁ブロックである。
【００１３】
３面立ち壁３は、図１，図２に示すように、立ち壁３１と立ち壁３２と立ち壁３３とからなっており、擁壁ブロック２の底版２１と立ち壁２２とともに箱を形成して、無機系充填材を充填可能な空間４を形成することができるように、擁壁ブロック２の底版２１上に立設されている。３面立ち壁３のうちの両端となる立ち壁３１と立ち壁３３との各一端は、擁壁ブロック２の立ち壁２２と連結するように一体的に立設されている。このように、充填可能な空間４は、これを形成する底版２１，立ち壁２２，３面立ち壁３が一体的に連結して形成されているので、蓋をすることにより無機系充填材が外部に溶出することがない。
【００１４】
３面立ち壁３は、図３，図４に示すように、予めコ字状に形成した立ち壁３１と立ち壁３２と立ち壁３３とで形成しておき、Ｌ型のコンクリートの擁壁ブロック２の底版２１の上に固定，連結することも可能である。連結手段としては、各種の連結手段を採用することが可能であり、例えば図４に示すようにボルト５とインサート６とを使用することができるが、これに限らない。Ｌ型のコンクリートの擁壁ブロック２とコ字状立ち壁３との接触面より無機系充填材が溶出しないようにパッキン等を挟んで固定する。
【００１５】
以下、本発明のコンクリート擁壁を設置して充填材として廃棄物の溶融スラグ等を使用する具体例について説明する。
先ず、充填材の充填可能な空間４を有する本発明のＬ型コンクリート擁壁１を所定の位置に並列状に設置し、充填材の充填可能な空間４内に溶融スラグ等を投入する。溶融スラグ等は、そのままの状態または袋に詰めた状態であっても良い。この溶融スラグ等の投入は、図２に示すように、コンクリート蓋７の厚さ分だけ空間を残すように行い、その空間にコンクリート蓋７を嵌め込む。なお、このコンクリート蓋７は、既成のものに限らず、ここで生コンクリートを打設して蓋を形成したものであっても良い。このコンクリート蓋７によって溶融スラグ等が前記空間４から溶出することがない。図２に示すように、コンクリート蓋７の上に土砂を覆土し、転圧して、所定の高さまで土砂の覆土と転圧とを繰り返して擁壁の設置を完了する。得られたコンクリート擁壁１の重心は下方にあるため、地震などに対して非常に安定である。
【００１６】
高さ１５００mmのＬ型擁壁の製造に使用可能な溶融スラグは約１２０Kgであるが、充填可能な空間４内には約１２００Kgを投入可能であり、従来の約１０倍の溶融スラグを有効利用しながら処理することが可能である。
【図面の簡単な説明】
【００１７】
【図１】本発明のＬ型コンクリート擁壁の一例の斜視図である。
【図２】図１のＬ型コンクリート擁壁の使用状態を示す側断面図である。
【図３】本発明のＬ型コンクリート擁壁の他の例の製造前の展開図である。
【図４】図３のＬ型コンクリート擁壁の製造後の斜視図である。
【符号の説明】
【００１８】
１      Ｌ型コンクリート擁壁
２      Ｌ型のコンクリートの擁壁ブロック
２１    底版
２２    立ち壁
３      ３面立ち壁
３１    立ち壁
３２    立ち壁
３３    立ち壁
４      空間
５      ボルト
６      インサート
７      コンクリート蓋
【図１】
2006063655.tif 000003
【図２】
2006063655.tif 000004
【図３】
2006063655.tif 000005
【図４】
2006063655.tif 000006